(57)【要約】【課題】揺動電極の揺動が阻止されることによる溶接不良を防止した抵抗溶接用電極を提供すること。【解決手段】揺動電極６を電極面１０が水平になるように付勢する付勢装置１４を設けた。また付勢装置１４が、前記円弧状突起３の中心に設けた装着穴５に装着した圧縮コイルばね１５と、この圧縮コイルばね１５の先端と前記円弧状凹部１２の中心に設けた円錐状凹部１１の壁面の間に介装された球体１６とからなる。さらに、揺動電極６の電極面が水平の場合、付勢装置１４の付勢力によって、前記円弧状突起３から前記円弧状凹部１２が空間を開けて支持部材１に揺動電極６が支持されている【選択図】図１
2020006433.tif 000002
【特許請求の範囲】
【請求項１】
支持部材の先端と揺動電極の基端の一方に円弧状突起を形成するとともに、他方に円弧状突起に対応する円弧状凹部を形成し、円弧状凹部に円弧状突起を嵌め込んで支持部材に揺動電極を揺動可能に支持した抵抗溶接用電極において、揺動電極を電極面が水平になるように付勢する付勢装置を設けたことを特徴とした抵抗溶接用電極。
【請求項２】
前記付勢装置が、前記円弧状突起の中心に設けた装着穴に装着した圧縮コイルばねと、この圧縮コイルばねの先端と、前記円弧状凹部の中心に設けた円錐状凹部の壁面の間に介装された球体からなることを特徴とした請求項１記載の抵抗溶接用電極。
【請求項３】
前記揺動電極の電極面が水平の場合、付勢装置の付勢力によって、前記円弧状突起から前記円弧状凹部が空間を開けて支持部材に揺動電極が支持されていることを特徴とした請求項１及び請求項２記載の抵抗溶接用電極。
【発明の詳細な説明】
【技術分野】
【０００１】  本発明は抵抗溶接に用いられる電極、特にスイベルチップと呼ばれている電極部が揺動可能な抵抗溶接用電極に関するものである。
【背景技術】
【０００２】  この種の電極として、従来、図３に示すように、上部電極５１の導電性の支持部材５２に円弧状先端部５３を形成し、導電性の揺動電極５４の基端に、円弧状先端部５３に対応した円弧状凹部５５を形成し、支持部材５２の円弧状先端部５３を揺動電極５４の円弧状凹部５５に嵌め込んで支持部材５２に揺動電極５４を揺動可能に装着し、ワーク５６の傾斜面にワーク５７を溶接する場合、揺動電極５４の電極面５８がワーク５７に当接するように支持部材５２に対して揺動し、揺動電極５４によってワーク５６、５７を加圧通電するようになっていた。（例えば、特許文献１参照。）
【先行技術文献】
【特許文献】
【０００３】
【特許文献１】実公昭５８−０１９０２９号公報
【発明の概要】
【発明が解決しようとする課題】
【０００４】  前記のものでは、溶接後に上部電極５１が上昇したとき、揺動電極５４の電極面５８が元の水平状態に戻らないことがあり、電極面５８が傾斜した状態で、上部電極５１が溶接のため下降し、傾斜した電極面５８の下端部がワーク５７に当接したとき、ワーク５７が波打ち、歪み等により変形していると、ワーク５７の変形により、揺動電極５４の揺動が阻止され溶接不良となるという問題があった。【０００５】  本発明は、前記の問題を解決し、揺動電極を常に電極面が水平になるように付勢する付勢装置を設けたことにより、揺動電極の揺動が阻止されることによる溶接不良を防止した抵抗溶接用電極を提供することを目的になされたものである。
【課題を解決するための手段】
【０００６】  上記課題を解決するためになされた本発明の抵抗溶接用抵抗溶接用電極は、支持部材の先端と揺動電極の基端の一方に円弧状突起を形成するとともに、他方に円弧状突起に対応する円弧状凹部を形成し、円弧状凹部に円弧状突起を嵌め込んで支持部材に揺動電極を揺動可能に取付けた抵抗溶接用電極において、揺動電極を電極面が水平になるように付勢する付勢装置を設けたことを特徴とするものである。【０００７】  前記付勢装置が、前記円弧状突起の中心に設けた装着穴に装着した圧縮コイルばねと、この圧縮コイルばねの先端と、前記円弧状凹部の中心に設けた円錐状凹部の壁面の間に介装された球体とからなるものであることが好ましく、これを請求項２に係る発明とする。【０００８】  前記揺動電極の電極面が水平の場合、付勢装置の付勢力によって、前記円弧状突起から前記円弧状凹部が空間を開けて支持部材に揺動電極が支持されていることが好ましく、これを請求項３の発明とする。
【発明の効果】
【０００９】  請求項１の発明では、揺動電極を電極面が水平になるように付勢する付勢装置を設けたので、上部電極が上昇すると、揺動電極は常に電極面が水平になるので、溶接不良を防止できる。【００１０】  請求項２の発明では、前記付勢装置が、前記円弧状突起の中心に設けた装着穴に装着した圧縮コイルばねと、この圧縮コイルばねの先端と、前記円弧状凹部の中心に設けた円錐状凹部の壁面の間に介装された球体とからなるので、球体の回転により、揺動電極が円滑に揺動することができる。【００１１】  請求項３の発明では、前記揺動電極の電極面が水平の場合、付勢装置の付勢力によって、前記円弧状突起から前記円弧状凹部が空間を開けて支持部材に揺動電極が支持されているので、揺動電極が弱い力にて円滑に揺動することができる。
【図面の簡単な説明】
【００１２】
【図１】本発明の実施の形態を示す断面図である。
【図２】図１の電極の溶接時の状態を示す断面図である。
【図３】従来例を示す断面図である。
【発明を実施するための形態】
【００１３】  以下、本発明の実施の形態について、図１及び図２に基づいて説明すると。１は基部２と基部２の先端に形成された円弧状突起３からなる導電性の支持部材であり、円弧状突起３の基端部は基部２より大径で、基部２と円弧状突起３との間には段差部４が設けられるとともに円弧状突起３の先端の中心には円柱形の装着穴５が設けられている。
【００１４】  ６は、電極部７と電極部７の基端にボルト８にて取付けられた抜け止め部材９とからなる導電性の揺動電極であり、揺動電極６の電極部７の先端面は平面状の電極面１０が形成されるとともに、基端面には、前記支持部材１の円弧状突起３に対応する、中心に円錐状凹部１１を設けた円弧状凹部１２が形成され、また抜け止め部材９には、前記支持部材１の基部２が貫通される貫通孔１３が形成されている。
【００１５】  １４は支持部材１の装着穴５に装着された圧縮コイルばね１５と圧縮コイルばね１５の先端と揺動電極６の円錐状凹部１１の壁面との間に介装された鋼球である球体１６からなる付勢装置であり、付勢装置１４にて揺動電極６を常に電極面１０が水平になるように付勢しており、また揺動電極６の電極面１０が水平になったとき、支持部材１の円弧状突起３から揺動電極６の円弧状凹部１２が空間を開けて支持されている。
【００１６】  次に、前記電極の組立方法について説明すると、支持部材１の装着穴５に圧縮コイルばね１５を装着し、球体１６を圧縮コイルばね１５の先端に乗せ、支持部材１の円弧状突起３を、揺動電極６の円弧状凹部１２に嵌め合せ、抜け止め部材９の貫通孔１３を支持部材１の基部２を貫通させて抜け止め部材９を電極部７の基端にボルト８にて取付ける、この時、図１に示すように、円弧状突起３の段差４が抜け止め部材９に当接し、支持部材１の円弧状突起３と揺動電極６の円弧状凹部１２は付勢装置１４によって離れた状態で対応して、また装着穴５と円錐状凹部１１も対応している。
【００１７】  さらに、溶接方法を説明すると、図１に示す、揺動電極６の電極面１０が水平な状態から上部電極１７が下降し、揺動電極６がワーク１８に当接し、支持部材１の円弧状突起３が揺動電極６の円弧状凹部１２に接触するとともに、揺動電極６が揺動し、図２に示すように、揺動電極６の電極面１０がワーク１８に当接し、上部電極１７、ワーク１８、１９、下部電極２０に電流が流れワーク１８、１９を溶接する。
【００１８】  溶接終了後、上部電極１７が上昇すると揺動電極６は付勢装置１４のバネ力によって、円弧状凹部１２が支持部材１の円弧状突起３から離れるとともに、揺動して電極面１０が水平状態となり、支持装置１の段差部４が抜け止め部材９に当接して停止し、図１の状態になる。
【００１９】  以上のように、本発明によれば、揺動電極６を電極面１０が水平になるように付勢する付勢装置１４を設けたので、上部電極１７が上昇すると、揺動電極６は常に電極面１０が水平になるので、溶接不良を防止できる。
【００２０】  また、前記付勢装置１４が、前記円弧状突起３の中心に設けた装着穴５に装着した圧縮コイルばね１５と、この圧縮コイルばね１５の先端と前記円弧状凹部１２の中心に設けた円錐状凹部１１の壁面の間に介装された球体１６とからなるので、球体１６の回転により、揺動電極６が円滑に揺動することができる。
【００２１】  さらに、前記揺動電極６の電極面が水平の場合、付勢装置１４の付勢力によって、前記円弧状突起３から前記円弧状凹部１２が空間を開けて支持部材１に揺動電極６が支持されているので、揺動電極６が弱い力にて円滑に揺動することができる。
【符号の説明】
【００２２】  １  支持部材
２  基部
３  円弧状突起
４  段差部
５  装着穴
６  揺動電極
７  電極部
８  ボルト
９  抜け止め部材
１０  電極面
１１  円錐状凹部
１２  円弧状凹部
１３  貫通孔
１４  付勢装置
１５  圧縮コイルばね
１６  球体
【図１】
2020006433.tif 000003
【図２】
2020006433.tif 000004
【図３】
2020006433.tif 000005